(57)【要約】  本発明は、スノーボードの表面に固定される底板（２）を有するスノーボード用ビンディングに関し、底板には、第１に、締結位置（Ｓ）と解放位置（Ｌ）との間で調節可能とされ、スノーボード用ビンディング（１）に収容される靴の上側を一部包囲可能な甲要素（６）が固定または連結されるとともに、第２に、後部の挿入位置（Ｅ）と前部の滑走位置（Ｆ）との間で回転可能なレッグサポート（５）が回転可能に連結され、挿入位置（Ｅ）へのレッグサポート（５）の回転運動と、締結位置（Ｓ）から解放位置（Ｌ）への甲要素（６）の調節運動とを少なくともある範囲で連動させる調整手段（１２）を備え、調整手段は、レッグサポート（５）の挿入位置（Ｅ）への後方回転の間に引き起こされる甲要素（６）の調節運動が、レッグサポート（５）を滑走位置（Ｆ）へ前方回転させる時に引き起こされる甲要素（６）の調節運動よりも大きくなるように設けられる。調整手段は、レッグサポート（５）を挿入位置（Ｅ）へ後方回転させる時のみ、甲要素の調節運動と連動させ、レッグサポート（５）の滑走位置（Ｆ）への前方回転には、甲要素（６）の調節運動と連動させないように設けられることが好ましい。
2010507420.tif 000002
【特許請求の範囲】
【請求項１】
スノーボードの表面に固定される底板（２）を有するスノーボード用ビンディングであって、
前記底板には、第１に、締結位置（Ｓ）と解放位置（Ｌ）との間で調節可能とされ、前記スノーボード用ビンディング（１）に収容されるブーツの上側を一部包囲可能な甲要素（６）が固定または連結されるとともに、第２に、後部の挿入位置（Ｅ）と前部の滑走位置（Ｆ）との間で回転可能なレッグサポート（５）が回転可能に連結され、
前記挿入位置（Ｅ）への前記レッグサポート（５）の回転運動と、前記締結位置（Ｓ）から前記解放位置（Ｌ）への前記甲要素（６）の調節運動とを少なくともある範囲で連動させる調整手段（１２，１０９）を備えたビンディングにおいて、
前記調整手段（１２，１０９）は、前記レッグサポート（５）の前記挿入位置（Ｅ）への後方回転の間に引き起こされる前記甲要素（６）の調節運動が、前記レッグサポート（５）を前記滑走位置（Ｆ）へ前方回転させる時に引き起こされる前記甲要素（６）の調節運動よりも大きくなるように設けられることを特徴とするビンディング。
【請求項２】
請求項１に記載のビンディングにおいて、
前記調整手段（１２，１０９）は、前記レッグサポート（５）を前記挿入位置（Ｅ）へ後方回転させる時のみ、前記甲要素（６）の調節運動と連動させ、前記レッグサポート（５）の前記滑走位置（Ｆ）への前方回転は、前記甲要素（６）の調節運動と連動させないように設けられることを特徴とするビンディング。
【請求項３】
請求項１または２に記載のビンディングにおいて、
前記甲要素（６）の調節運動は、回転運動およびまたは開放運動を含むことを特徴とするビンディング。
【請求項４】
請求項１〜３のいずれか１項に記載のビンディングにおいて、
前記甲要素（６）は、前記レッグサポート（５）を前記挿入位置（Ｅ）へ後方回転させるときに前記甲要素（６）の開放または拡張を引き起こす、前記調整手段（１２）により操られる少なくとも１つのバックル（１１）を備えることを特徴とするビンディング。
【請求項５】
請求項４に記載のビンディングにおいて、
前記調整手段（１２）は、前記レッグサポート（５）に回転が結合された少なくとも１つの駆動カム（１８）を備え、前記駆動カム（１８）は、前記甲要素（６）の前記バックル（１１）に属する移動要素とともに少なくともある範囲で直接的または間接的に動作することを特徴とするビンディング。
【請求項６】
請求項５に記載のビンディングにおいて、
前記甲要素（６）は、前記底板（２）に好ましくは回転可能に連結されたバックルベース（１３）を有するバックル（１１）と、バックルベースに取り付けられた回転可能な締結レバー（１４）と、ならびに前記締結レバー（１４）に直接的にまたはピニオン（１７）を介して連結されたストラップ（９）とを備え、スライド可能な調整スライダ（１６）は、前記バックルベース（１３）に案内され、その調整スライダとともに前記駆動カム（１８）が動作することを特徴とするビンディング。
【請求項７】
請求項６に記載のビンディングにおいて、
前記駆動カム（１８）に向けて前記調整スライダ（１６）にばね荷重を負荷する、少なくとも１つのばね要素（２１，２８）が設けられることを特徴とするビンディング。
【請求項８】
請求項６または７に記載のビンディングにおいて、
前記調整スライダ（１６）は、前記バックル（１１）が前記調整スライダ（１６）の保持位置（Ｈ）に閉じられるときに、前記締結レバー（１４）のラグ（２０）または端部を嵌合して受け入れて前記締結レバー（１４）を閉鎖位置（Ｖ）に保持する保持ラグ（１９）を少なくとも有し、解放位置（Ｒ）への前記調整スライダ（１６）のスライドにより前記嵌合受け入れから解放されることを特徴とするビンディング。
【請求項９】
請求項８に記載のビンディングにおいて、
前記調整スライダ（１６）は、後方の前記導入位置（Ｅ）への前記レッグサポート（５）の回転の間、前記駆動カム（１８）により前記解放位置（Ｒ）へ移動可能とされることを特徴とするビンディング。
【請求項１０】
請求項８または９に記載のビンディングにおいて、
前記調整スライダ（１６）は、特に少なくとも１つの導出斜面（２２）およびまたは導出曲面を有する嵌合導出手段であって、前記調整スライダの保持位置（Ｈ）から解放位置（Ｒ）への移動に伴い、前記甲要素（６）の前記ストラップ（９）をその締結位置（Ｓ）の外側に導き、およびまたは前記締結レバー（１４）をその閉鎖位置（Ｖ）の外側に導く嵌合導出手段を有することを特徴とするビンディング。
【請求項１１】
請求項６〜１０に記載のビンディングにおいて、
前記バックル（１１）の前記締結レバー（１４）は、ばね要素により開放位置（Ｏ）に向けてばね荷重が負荷されることを特徴とするビンディング。
【請求項１２】
請求項８〜１１のいずれか１項を請求項７と組み合わせたビンディングにおいて、
前記調整スライダ（１６）は、特に少なくとも１つの衝突斜面（２３）およびまたは衝突曲面を有する嵌合衝突手段であって、前記バックル（１１）を前記締結レバー（１４）の一部で閉鎖するときに、前記調整スライダ（１６）が少なくとも前記ばね要素（２１，２８）に抗して開放位置（Ｒ）へ向け上方へスライドされるように合わせて動作する嵌合衝突手段を有し、前記バックル（１１）を閉鎖し続けている間、前記調整スライダ（１６）は、前記保持位置（Ｈ）に戻り、前記締結レバー（１４）をその閉鎖位置（Ｖ）に保持することを特徴とするビンディング。
【請求項１３】
請求項１〜１２のいずれか１項に記載のビンディングにおいて、
前記甲要素（６）の回転軸（７）は、前記レッグサポート（５）の回転軸（７）と同軸であることを特徴とするビンディング。
【請求項１４】
請求項１３に記載のビンディングにおいて、
前記甲要素（６）および前記レッグサポート（５）の共有される回転軸（７）は、前記底板（２）に、特に前記底板（２）の長手方向に沿う前記底板（２）の両側に上方に突出する２つの側壁（４）に、調節可能に配置されることを特徴とするビンディング。
【請求項１５】
請求項１〜１４のいずれか１項に記載のビンディングにおいて、
前記調整手段は、少なくとも１つのレバー、およびまたは少なくとも１つの押し込み手段、およびまたは少なくとも１つの引張手段を備え、さらに少なくとも１つのケーブルプルを備えることを特徴とするビンディング。
【請求項１６】
請求項１〜１５のいずれか１項に記載のビンディングにおいて、
前記調整手段は、少なくとも１つのギア、とくに１つのピニオンギアを備えることを特徴とするビンディング。
【請求項１７】
請求項１〜１６のいずれか１項に記載のビンディングにおいて、
前記調整手段（１２，１０９）は、前記甲要素（６）または前記レッグサポート（５）の一方に回転が結合された少なくとも１つの駆動カム（１１０）を備え、
前記駆動カム（１１０）は、前記レッグサポート（５）の回転が少なくともある範囲で前記甲要素（６）の回転と連動するように、前記レッグサポート（５）または前記甲要素（６）の他方にトルクに耐える態様で連結された調整曲面（１１２）と合わせて動作することを特徴とするビンディング。
【請求項１８】
請求項１７に記載のビンディングにおいて、
前記調整曲面（１１２）は、前記駆動カム（１１０）を包囲する調整リング（１１１）であって、前記レッグサポート（５）または前記甲要素（６）の他方に形成された窪みに、トルクに耐える態様で挿入された調整リング（１１１）内に設けられることを特徴とするビンディング。
【請求項１９】
請求項１７または１８に記載のビンディングにおいて、
前記調整曲面（１１２）は、２つの停止部（１１７ａ，１１７ｂ）により制限される自由移動領域（１１６）を備え、前記駆動カム（１１０）は、前記２つの停止部（１１７ａ，１１７ｂ）の間の前記自由移動領域（１１６）にわたって、自由に回転可能とされることを特徴とするビンディング。
【請求項２０】
請求項１９に記載のビンディングにおいて、
前記調整曲面（１１２）は、前記停止部（１１７ｂ）の近傍で、およびまたは前記自由移動領域（１１６）に隣接した移送領域（１１８）で、弾性変形可能とされることを特徴とするビンディング。
【請求項２１】
請求項２０を請求項１８と組み合わせたビンディングにおいて、
前記調整リング（１１１）は、少なくとも前記移送領域（１１８）において弾性材からなり、半径方向の自由領域（１２０）は、前記調整リング（１１１）と前記窪みをなす壁面（１１９）との間の前記移送領域（１１８）の少なくともある範囲で、変形させられることを特徴とするビンディング。
【請求項２２】
請求項１７〜２１のいずれか１項に記載のビンディングにおいて、
前記駆動カム（１１０）は、トルクに耐える態様で前記レッグサポート（５）に結合され、前記調整曲面（１１２）は、トルクに耐える態様で前記甲要素（６）に結合されていることを特徴とするビンディング。
【請求項２３】
請求項４〜１２のいずれか１項をとくに請求項１３〜２２のいずれか１項と組み合わせたビンディングにおいて、
前記バックル（１１）は、前記甲要素（６）がお互いから離れた２つの部分的な要素に分離可能とされて前記バックル（１１）から取り外される領域を有する前記底板（２）に固定または連結されるように、少なくとも中間位置で取り外し可能とされることを特徴とするビンディング。
【請求項２４】
請求項１〜２３のいずれか１項に記載の２つのビンディング（１）を備えることを特徴とするスノーボード。
【発明の詳細な説明】
【技術分野】
【０００１】
本発明は、請求項１の前提部に記載したスノーボード用ビンディングに関する。
【背景技術】
【０００２】
スノーボード用ビンディングは、スノーボード上にスノーボードブーツを固定する役割を果たすものであり、スノーボードの表面に固定可能な底板を備える。レッグサポートは、底板に回転可能に連結され、後部の挿入位置と前部の滑走位置との間で回転可能とされる。甲要素も底板に固定され、あるいは好ましくは回転可能に結合され、締結位置と解放位置との間で調節可能とされるとともに、締結位置にあるスノーボード用ビンディングに収容されるブーツの上面を部分的に包囲し、ブーツが底板に接触しおよびまたはレッグサポートに接触して固定される。調整手段も設けられ、調整手段により少なくともある範囲でレッグサポートの挿入位置への回転と甲要素の締結位置からの調節運動とを連動させ、甲要素を締結位置から解放位置へ調節する。
【０００３】
こうしたビンディングは、比較的柔らかいスノーボードブーツに用いるように設計されるので、「ソフトブーツビンディング」あるいは「シェルブーツビンディング」とも称され、例えば「フリースタイルボーダー」により望まれる高度の柔軟性を有する。この点で、底板は、円形の開口にねじで取り付ける固定装置を用いてスノーボードの表面に直接的または間接的に固定される。したがって、甲要素は、通常、底板の両辺に沿って上方に延びる側壁と称される壁に、軸支される。
【０００４】
甲要素は、通常、前側の足と甲を包囲する「ストラップ」と称されるテンションベルトも備え、それによりスノーボードブーツを底板に接触して下側に、およびまたはレッグサポートに接触して後側に押すことができる。
【０００５】
こうしたスノーボード用ビンディングのための典型的なレッグサポートは、「ハイバック」または「ヘックスポイラー」とも称され、スノーボードブーツの後側およびまたはスノーボーダーの腓骨を後方へ支持する役割を果たす。このため、レッグサポートは、底板の長手方向の軸線に対して直交して配置された軸線を中心として側壁に回転可能に固定され、スノーボーダーの下腿のいわゆる前方傾斜位置を定義するためのある傾斜角度を定める。レッグサポートの傾斜角度は、この点で、ボーダーにより望まれるライディング位置へ調節可能とされる。このため、レッグサポートを、調節可能な上部のパッドのある部分と反対側の底部の支持部との２つの部分に設計することも知られている。
【０００６】
レッグサポートの回転可能性は、通常はスノーボードの表面からおよそ２０〜３０ｃｍまで立ち上げられるレッグサポートを、ストラップおよびまたはスノーボードの表面に向けて前方へ倒回することを可能にし、スノーボードの輸送時や保管時における扱いにくさを軽減する。
【０００７】
後方へ延びる踵の留め具により、レッグサポートが底板の側壁に沿って間接的に移動可能とされることも知られている。こうした踵の留め具は、「ヒールクランプ」とも称され、スノーボードブーツの後部の靴底領域およびまたはスノーボーダーの踵を包囲する。ヒールクランプは、スノーボード用ビンディングの底板に、堅くまたは回転可能に結合される。
【発明の概要】
【発明が解決しようとする課題】
【０００８】
そのようなスノーボード用ビンディングは、従来、ストラップで開閉されるのみであり、こうしたビンディングへの取付は比較的面倒である。締結および解放の手順を容易にするため、ＤＥ４４３５１１３Ｃ１には、下方に倒回された挿入位置への後方倒回が可能となるようにレッグサポートをガイドし、ストラップが固定されるときには、スノーボードブーツがスノーボード用ビンディングに後方から挿入可能とされることが提案されている。スノーボードブーツが甲要素に対抗して配置された後、レッグサポートは、滑走位置に対応した所定の閉塞位置を呈するまで立ち上げられる。レッグサポートを立ち上げることにより、スノーボードブーツが同時に甲要素に対抗してさらに前方に押され、結果として所望の引張力も生じる。この滑走位置において、レッグサポートは適宜なロック機構により固定される。スノーボード用ビンディングを解放するためには、ロック機構が解除されてレッグサポートが開放位置およびまたは挿入位置へ後方に倒回され、ブーツがビンディングから取り外し可能とされる。
【０００９】
この方法により引き起こされるいわゆる一体挿入の実現により、甲要素の面倒な開閉操作をすることなく結合および非結合を可能にし、それによって手順を多少容易にはするが、さらなる高度の簡便性が、特にビンディングに挿入するときに要求される。ＤＥ４４３５１１３Ｃ１によるビンディングを用いると、甲要素が固定される間にこれは起こるが、ブーツに生じる摩擦力のため、ブーツの最後の部分の挿入を少なくともかなり困難にする。
【００１０】
さらに、初めに述べたタイプのスノーボード用ビンディングが提案されており、例えば特許ＵＳ２００４／０２６２８８７Ａ１で知られている。そのようなスノーボード用ビンディングには調整手段が設けられ、レッグサポートを挿入位置に倒回するとき、長さが不変である甲要素の上方への移動により、スノーボードブーツにとって利用可能なスペースが自ずから拡大する。このため、甲要素の全ストラップは、スノーボード用ビンディングの底板に中間レバーを介して回転可能に連結されている。
【００１１】
しかしながら、こうしたビンディングの欠点は、利用可能なスペースを拡大するために、非常に精巧なレバー機構が必要となり、それとともに別の連結レバーが上述の中間のレバーに加えて必要とされることであり、レバー機構はレッグサポートの回転運動を中間レバーへと転移し、それにより甲要素へと転移する。そのような精巧なレバー機構はさらにビンディングの両側に必要とされ、それにより対応したビンディングの重量の増加を生じさせるだけでなく、とくに製造コストの上昇を招く。
【００１２】
ＵＳ２００４／０２６２８８７Ａ１によるビンディングは、レバー機構が同時にいっせいに下方に動くことにより、甲要素がレッグサポートに確実に連結されるので、レッグサポートを閉鎖するには少なくとも最後の部分で相当の力を要し、それにより、ビンディングに挿入されたブーツによって付与されるかなりの対抗圧力にさらされる点で多くの欠点を有する。
【００１３】
この発明の目的は、それ故、手軽に製造することが可能な構造的に簡単な上述した種類のスノーボード用ビンディングを創出し、さらに低重量で簡便な挿入と解放とを実現し、ブーツがビンディングに挿入されたときに、レッグサポートを滑走位置に立ち上げることが特に容易なスノーボード用ビンディングを提供することにある。
【００１４】
この目的は、請求項１によるスノーボード用ビンディングを用いて本発明により解決される。本発明の好ましい設計と機構は、従属項で与えられる。
【課題を解決するための手段】
【００１５】
本発明の解決手法にとって、レッグサポートを挿入位置へ後方に回転させるときの甲要素の調節運動が、レッグサポートを滑走位置へ上方に回転させるときに生じる甲要素の調節運動よりも大きくなるように調整手段が設計されることが不可欠である。レッグサポートを滑走位置に立ち上げるとき、甲要素は、それ故、ビンディングを開放するときに生じる調節運動とともに移動する手段のほんの一部を後方に移動する。
【００１６】
レッグサポートを後方および前方に回転させることによる甲要素の調節運動の不等な連動の重要な利点は、ビンディングに挿入されるブーツにより甲要素に逆圧が生じるとしても、その程度は非常に小さいものに過ぎないので、レッグサポートの立ち上げが全体の回転範囲に沿ってほんのわずかな影響で容易に実行可能な点である。
【００１７】
ブーツは、それ故、初めに、何ら面倒なことなく、開放されたビンディングに挿入可能である。その後、レッグサポートは、最初の閉鎖手順においてビンディングをたやすく閉鎖するため、滑走位置に立ち上げられる。それにより、この最初の閉鎖手順は、ビンディング内の適切な場所にブーツを配置する役割を果たす。そのような配置は、特にビンディングの前部に配設可能なつま先要素に抗して実行可能であり、ブーツの前部を前方へ保持することができ、好ましくはブーツがその時にレッグサポートとつま先要素の間のビンディングに関して長手方向に固定可能となるように保持することもできる。第２の閉鎖手順では、ビンディングを完全に閉鎖するため、甲要素の調節運動の残りがそれから手動で行われる。ブーツに締結するために必要とされる労力を、それにより容易に加えることができる。本発明の閉鎖手順の２つの部分的手順への分割により、いわゆるヘックエントリービンディングを用いて、挿入されたブーツを確実に保持するために必要な引張力を与えることも可能となる。今までは、これは甲要素上の種々の留め金やバックルを有する従来のソフトビンディングを用いて可能であっただけであり、より簡便なヘックエントリービンディングを用いていない。本発明はそれ故、ビンディングから解放またはビンディングに挿入するときに、今までは合わせて存在することができなかった最良のビンディングの動作およびまたは良好な動作の利点を、高い利便性の利点と初めて組み合わせる。
【００１８】
もう一つの重要な利点は、本発明の部分的に過ぎない甲要素の調節運動との連動によりレッグサポートを滑走位置に立ち上げるときに、そうした連動がかなり簡便な態様で達成されるように調整手段が設計されることである。特に、これは追加の中間物と連結レバーの必要性を排除する。その結果、本発明に係るスノーボード用ビンディングは、低重量となり、とりわけ特に費用効果の高い態様で製造可能である。
【００１９】
滑走位置に立ち上げられたレッグサポートは、ロック機構を用いてこの位置に固定することができる。適宜なロック機構は、例えばレッグサポートにより保持されるストラップやケーブルプル、嵌合ロックボルト、ファスナにより形成することができる。好ましくはロック機構は、底板の中央または前部領域の両側に既知の態様で固定されたケーブルプルを備え、ケーブルプルはレッグサポートの後部を取り囲み、所定位置にレッグサポートをロックするためレッグサポートの後部に回転可能に取り付けられたロックレバーを用いて、そこに堅く締め付けられる。
【００２０】
調整手段が、レッグサポートを挿入位置へ後方回転させるときにのみ甲要素の調節運動と連動し、それに対しレッグサポートを滑走位置に回転させるときは甲要素の調節運動との連動が生じないというように設計されるならば、さらに好ましい。レッグサポートを前方回転させることが甲要素のいかなる連動をももたらさないということは、閉鎖手順の最大限に可能な簡易化、およびまたはレッグサポートを立ち上げるために必要とされる労力の最大限の軽減を結果としてもたらす。
【００２１】
ビンディングへの挿入とビンディングからの解放を好適に設計するため、甲要素の調節運動が回転運動およびまたは開放運動を含み、甲要素を開放あるいはその領域およびまたは長さを拡張することが提案される。
【００２２】
さらに、甲要素が少なくとも１つのバックルを備え、調整手段により、レッグサポートを挿入位置へ後方回転させるときに甲要素の開放または拡張を結果としてもたらすように操られるならば、さらに好ましい。この態様では、調整手段はビンディングの両側に必要とされず、バックルの各甲要素にとって１つのみでよい。これは、本発明のビンディングの重量をかなり低減し、とりわけ製造コストをかなり低減する。
【００２３】
本発明のとくに好ましい実施形態によれば、調整手段が、レッグサポートに回転が結合された少なくとも１つの駆動カムを備えることが提案される。駆動カムは、甲要素のバックルの移動要素と合わせて少なくともある範囲で直接的または間接的に動作する。この相互作用は、お互い隣接して配置され、あるいは連結リンクを介して配置されることにより好適に生じる。このことは、構造的に非常に小さな小型化をもたらすが、同時に調整手段の安定した強固な実施形態をさらにもたらす。
【００２４】
このため、甲要素が、底板に好ましくは回転可能に連結されたバックルベースを有するバックルと、バックルベースに回転可能に配置された締結レバーと、締結レバーに直接的にまたはピニオンを介して連結されたストラップとを備えるならば、さらに好ましい。長手方向にスライド可能な調整スライダはバックルベース内に通され、駆動カムと合わせて動作する。これは、非常に小型で構造的に小さな実施形態をもたらす。
【００２５】
調整スライダの規定の位置を絶えず維持するために、調整スライダに向けて駆動カムにばね荷重を負荷するばね要素が設けられるならば好ましい。さらにばね要素が、駆動カムに向けて調整スライダを上方に押しまたは引き、両部品が絶えずお互いに隣接することが好ましい。
【００２６】
本発明のさらに好ましい別の実施形態によれば、調整スライダは少なくとも保持ラグを備え、バックルが調整スライダの保持位置に閉じられるときに甲要素が締結位置に位置されるとともに、保持ラグが締結レバーのラグまたは端部に嵌合して受け入れ、締結レバーを閉鎖位置に保持することが示される。締結レバーの嵌合受け入れおよびまたは保持は、調整スライダを解放位置へ押動することにより解放される。保持ラグにより受け入れ可能な端部は、例えばブーツに向かう締結レバーの底部に、好ましくは２つ配設される。締結レバーの開口部を貫通し、それ故中央に配置される中央の保持ラグにより、特に安定した構成を実現することができ、開口部に隣接した側壁の上端部を受け入れることができる。
【００２７】
この点で、レッグサポートを後方の挿入位置に回転させるとき、駆動カムにより調整スライダが解放位置にスライドされるならば、さらに好ましい。締結レバーを解放するために必要とされるスライドは、レッグサポートを後方に倒回するときに自動的に生じるスライドとは独立して発生可能とすることがさらに好ましく、例えばリフトに乗っているときにとくに好ましく、レッグサポートを後方に倒回することなく手動でのビンディングのバックルを開放可能とする。このため、調整スライダは、ばね要素により保持位置に押されることが好ましい。嵌合受け入れの解放は、ばね要素に抗した調整スライダの上方へのスライドにより実現可能である。
【００２８】
調整スライダが解放位置にあるとき、バックルは、好ましくはビンディングに固定されたブーツが甲要素に及ぼす圧縮力のため、それ自体によって開放可能である。ビンディングに挿入されたブーツの形状と大きさに依存して、締結レバーがオーバーセンター位置に位置するというシナリオも可能であり、バックルの独立した開放およびまたは締結レバーにより解放される調整スライダの解放は、ブーツによって及ぼされる圧縮力の結果として規則的には生じない。解放された締結レバーの確実な解放およびまたはバックルの確実な開放を確保可能とするために、調整スライダが好ましくは嵌合導出手段、例えば一または複数の導出斜面およびまたは導出曲面を有し、締結レバーおよびまたは甲要素の一部、例えばストラップと合わせて動作可能な嵌合導出手段を有することが提案され、調整スライダが解放位置に向けて押されるときに、バックルを開放するための締結レバーがその閉鎖位置から外側に導かれて中心点を過ぎて外側に至り、それによりバックルを開放し、甲要素がその締結位置から解放される。このため、締結レバーの強制的な案内は、駆動カムによっても、調整スライダの手動スライドの手段によってもともに生じる。
【００２９】
加えてまたは別の方法として、バックルの締結レバーが、ばね要素により開放位置に押されることもできる。締結レバーが調整スライダをスライドすることにより解放されると即座に、たとえそれがオーバーセンター位置にあるとしても、ばね要素が締結レバーの確実な解放を誘発する。
【００３０】
調整スライダが、例えば一または複数の衝突斜面およびまたは衝突曲面を有し、締結レバーの一部を用いてバックルを閉じるときに合わせて動作して、調整スライダが少なくともその解放位置に到達するまでばね要素に抗してスライド可能な嵌合衝突手段を特徴として備えるならば、その上さらに好ましい。バックルをさらに閉じると、ばね荷重が負荷された調整スライダは保持位置に戻り、保持ラグは締結レバーを閉鎖位置に嵌合して保持する。その結果、締結レバーを単に下方に押すことにより、第２の閉鎖手順が格別容易に実現可能となる。
【００３１】
甲要素の回転軸がレッグサポートの回転軸と同軸であるならば、その上さらに好ましい。その結果、より大きなまたは小さなブーツ形状を収容するためにビンディングの大きさを調整するべくレッグサポートの位置を変更するときに、甲要素の調整が自動的に可能となり、甲要素の別個の調整が必要ではない。さらに重要な利点は、レッグサポートおよび甲要素の提案された回転軸の配置により、回転運動およびまたは調節運動である調整運動と連動させるための調整手段が、共有の回転軸でことさら容易に実現可能となる点である。とくにこのことは追加の中間レバーと連結レバーの必要性を解消し、本発明のスノーボード用ビンディングは、とくに簡易で、小型で、重量の効果が高く、かつ費用効率の高い設計で製造することができる。
【００３２】
さらに、甲要素とレッグサポートの共有の回転軸が、底板の長さに沿って調節可能となるように底板に配置されるならば、なおさら好ましい。この態様では、異なるブーツの大きさに対するスノーボード用ビンディングの調節が、なんら複雑化することなくことさら容易に実現できる。それにより底板の長手方向は、スノーボード用ビンディングに固定されるブーツの長手方向に一致する。多数のドリル穴が側壁に設けられるとともに、ビンディングの長手方向に沿って互い違いに配置され、レッグサポートと甲要素の回転軸が選択された穴に挿入されることが好ましい。
【００３３】
調整手段が、調整スライドと駆動カムに加えてあるいは調整スライダと駆動カムの代わりに他の適宜な調整要素を備えるようにさらなる調整手段の有用な設計を行うことができる。そのようなものとして、調整手段が一または複数のレバー、およびまたは押し込み手段、およびまたは引張手段を備え、さらにケーブルプルを備える。ギアを用いることもでき、とくに所望の調整運動を実現するためにピニオンギアを用いることもできる。
【００３４】
本発明の他のさらに好ましい実施形態によれば、調整手段が、甲要素またはレッグサポートの一方に回転が結合された、少なくとも１つの駆動カムを備えるように設計される。その上、駆動カムは、レッグサポートの回転運動が少なくともある範囲で甲要素の回転運動と連動するように、レッグサポートまたは甲要素の一方に回転が結合された調整曲面と合わせて動作する。甲要素は、その後、ビンディングを締結位置から開放するときに、スノーボード用ビンディングからの解放とスノーボード用ビンディングへの挿入がより容易となる設計とするため、解放位置へと上方へ回転させられる。そのため好ましくは、駆動カムはレッグサポートに回転が結合され、調整曲面は甲要素に回転が結合される。しかしながら、逆の割り当ても一般には可能である。
【００３５】
それ故、調整曲面が、駆動カムを包囲する調整リング内に設けられ、レッグサポートまたは甲要素の他方に配置された窪みに回転が結合して挿入されるならば、さらに好ましい。それにより調整リングが窪みに嵌合して結合され得る。
【００３６】
調整曲面が、２つの停止部により制限される少なくとも自由移動領域を備えるならば、ことさら好ましい。駆動カムは、調整曲面に関する２つの停止部の間の自由移動領域にわたり自由に回転可能である。この態様では、ある範囲でレッグサポートの回転運動と甲要素の回転運動との連動が実現される。連動は、駆動カムが２つの停止部のうちの一方に抗して立ち上がったときにのみ生じる。好ましくは、２つの停止部は端部停止部として設けられる。
【００３７】
本発明のさらに別の好ましい実施形態に基づくと、調整曲面が停止部の近傍で、およびまたは自由移動領域に隣接した移送領域で、弾性変形可能とされる。移送領域は、好ましくは停止部により自由移動領域から隔てられ、スペースを節約する輸送位置へレッグサポートがスノーボードの表面上方に下方回転させられるときに、駆動カムと接触するようになることが好ましい。それにより駆動カムは、停止部に到達したときに、始めにある程度の大きさの抵抗を受けるが、レッグサポートがより前方に倒回されたときには、調整曲面の弾性的な設計によりその抵抗に打ち勝つ。
【００３８】
調整リング内に調整曲面を設計する場合には、調整リングが少なくとも移送領域において弾性材により構成されるならばとくに好ましく、そのとき、移送領域の少なくともある範囲で、調整リングと調整リングを支持する窪みの壁面との間に半径方向の隙間が設けられる。弾性材は、ある範囲でたわむ移送領域を形成するような硬質ラバーにより構成することができる。半径方向の隙間により、駆動カムは、移送領域で調整曲面を外側に押すことができ、その後、レッグサポートが下方に最後まで倒回されると、調整曲面を破壊することなく、わずかな抵抗の増加で移動し続ける。調整リング全体が、少なくとも半径方向において弾性的に曲がりやすい材質で形成されるならば、さらに好ましい。
【００３９】
さらに、甲要素に設けられたバックルが少なくとも中間位置で取り外し可能とされ、甲要素がお互いから離すことができる２つの部分的な要素に分離されて、バックルから取り外される領域を有する底板に固定または連結されるならば、とくに好ましい。レッグサポートは、その後、甲要素の２つの部分的な要素を介して、ビンディングの底板に至るまでさらに前方下側へ倒回される。これは、とくにスペースを取らない輸送位置のために役立ち、本発明のビンディングを備えたスノーボードを保管、特に賃貸部門に保管するときに、相当に好ましい。
【００４０】
本発明は、さらに上述のタイプの２つのビンディングを備えたスノーボードを対象とする。
【００４１】
さらに本発明の利点および特徴は、以下の説明と図示の実施例とにより与えられる。
【図面の簡単な説明】
【００４２】
【図１】本発明の実施形態に係るスノーボード用ビンディングの閉鎖状態における図。
【図２】図１を開放状態としたスノーボード用ビンディングの図。
【図３】図２のスノーボード用ビンディングの一部拡大図。
【図４】図１のバックルの拡大図。
【図５】滑走位置へレッグサポートが立ち上げられた状態でバックルを閉じる間におけるバックルの平面図。
【図５ａ】図５のＡ−Ａ横断線に沿った断面図。
【図５ｂ】図５のＢ−Ｂ横断線に沿った断面図。
【図６】滑走位置へレッグサポートが立ち上げられた状態でバックルを閉じる間におけるバックルの平面図。
【図６ａ】図６のＡ−Ａ横断線に沿った断面図。
【図６ｂ】図６のＢ−Ｂ横断線に沿った断面図。
【図７】滑走位置へレッグサポートが立ち上げられた状態でバックルを閉じる間におけるバックルの平面図。
【図７ａ】図７のＡ−Ａ横断線に沿った断面図。
【図７ｂ】図７のＢ−Ｂ横断線に沿った断面図。
【図８】レッグサポートを滑走位置から挿入位置へ倒回し、バックルの関連した開放の間におけるバックルの平面図。
【図８ａ】図８のＡ−Ａ横断線に沿った断面図。
【図８ｂ】図８のＢ−Ｂ横断線に沿った断面図。
【図９】レッグサポートを滑走位置から挿入位置へ倒回し、バックルの関連した開放の間におけるバックルの平面図。
【図９ａ】図９のＡ−Ａ横断線に沿った断面図。
【図９ｂ】図９のＢ−Ｂ横断線に沿った断面図。
【図１０】レッグサポートを滑走位置から挿入位置へ倒回し、バックルの関連した開放の間におけるバックルの平面図。
【図１０ａ】図１０のＡ−Ａ横断線に沿った断面図。
【図１０ｂ】図１０のＢ−Ｂ横断線に沿った断面図。
【図１１】閉塞状態におけるバックルの別の実施形態の３次元図。
【図１２ａ】図１１のバックルの平面図。
【図１２ｂ】図１２ａのＡ−Ａ横断線に沿った断面図。
【図１３】開放状態における図１１のバックルの３次元図。
【図１４】本実施形態に係るスノーボード用ビンディングの別の実施形態の３次元断面図。
【図１５】レッグサポートを滑走位置から挿入位置へ倒回する間の図１４のビンディングの概略側面図。
【図１６】レッグサポートを滑走位置から挿入位置へ倒回する間の図１４のビンディングの概略側面図。
【図１７】レッグサポートを滑走位置から挿入位置へ倒回する間の図１４のビンディングの概略側面図。
【図１８】レッグサポートを滑走位置から挿入位置へ倒回する間の図１４のビンディングの概略側面図。
【図１９】レッグサポートを挿入位置から滑走位置へ立ち上げる間の図１４のビンディングの概略側面図。
【図２０】レッグサポートを挿入位置から滑走位置へ立ち上げる間の図１４のビンディングの概略側面図。
【図２１】図１５の位置での共有の回転軸と調整手段の拡大断面図。
【図２２】図１６の位置での共有の回転軸と調整手段の拡大断面図。
【図２３】図１７の位置での共有の回転軸と調整手段の拡大断面図。
【図２４】図１８の位置での共有の回転軸と調整手段の拡大断面図。
【図２５】図１９の位置での共有の回転軸と調整手段の拡大断面図。
【図２６】図２０の位置での共有の回転軸と調整手段の拡大断面図。
【図２７】輸送位置へ倒回されたレッグサポートを有する図１４のビンディングの概略側面図。
【図２８】図２７の滑走位置での共有の回転軸と調整手段の拡大断面図。
【図２９】本実施形態に係るスノーボード用ビンディングの他の変形例におけるブーツの位置決めと締結を示す概略図。
【図３０】本実施形態に係るスノーボード用ビンディングの他の変形例におけるブーツの位置決めと締結を示す概略図。
【図３１】本実施形態に係るスノーボード用ビンディングの他の変形例におけるブーツの位置決めと締結を示す概略図。
【発明を実施するための形態】
【００４３】
図１〜３に示すスノーボード用ビンディングは、中央に円形開口部３が設けられた底板２を有し、スノーボード上に固定する既知の方法で、円形開口部３は押さえ装置を保持可能である。底板２の長手方向両辺の各々に沿って、ほぼ直角に上方に延びるように底板２に適合された側壁４の形状があり、スノーボードブーツは、これら２つの長手方向側辺の間のスノーボード用ビンディング１の所定位置に収容され、固定される。
【００４４】
レッグサポート５と甲要素６とは、側壁の後部上方領域に回転可能に連結されている。図示の実施形態では、１つの共有の回転軸７のみが、レッグサポート５と甲要素６の両方を回転可能とするように設けられている。この回転軸７は、底板２に平行に、かつ２つの側壁４に対して直角に延びている。
【００４５】
スノーボード用ビンディング１を異なるブーツの大きさに適合させるために、共有の回転軸７が幾つかのドリル孔８のうちの一つに取り付けられ、ドリル孔８は底板２に平行に延びる列に沿って配分されている。
【００４６】
別の実施形態では、底板２に、あるいは底板２に連結された他の要素の一つに、甲要素６およびまたはレッグサポート５を直接配分することも一般に可能である。
【００４７】
図示の実施形態では、甲要素６は、連続したストラップ９を用いて実質的に形成され、ストラップ９は、パッド１０によりＵ字状に延びる中間領域に伸延されている。ストラップ９は、２つの側壁４の一方に沿って第１の端部で回転可能とされ、それに対し、他の端部はバックル１１に連結され、バックル１１も他方の側壁４に回転可能に連結されている。
【００４８】
レッグサポート５は、容易な挿入を可能とするために、図１に示す前側の滑走位置Ｆから図２に示す挿入位置Ｅへと後方へ回転可能である。スノーボード用ビンディング１からの解放とスノーボード用ビンディング１への挿入とを、なおさら容易にする設計とするため、図２に示される解放位置へバックル１１を開放することにより、甲要素６は図１に示す締結位置Ｓから拡大可能である。拡大された甲要素６に沿って摩擦力が欠乏するため、スノーボード用ビンディング１への踏み込みはとくに容易である。
【００４９】
そのため、調整手段１２が設けられ、レッグサポート５の挿入位置Ｅへの後方の回転運動を、その回転運動のある範囲にとって甲要素６の調節運動およびまたは調整運動と連動させ、バックル１１を自動的に開放させる。レッグサポート５の滑走位置への前方の回転運動の間は、本発明によっては、甲要素６の自動調節と連動するものは何も生じない。バックル１１は、レッグサポート５が立ち上げられると、その後別々に手動で別々に閉じられる（図５〜７ｂ）。したがって、連動は、一方ではレッグサポート５が開放されるときにのみ生じ、他方ではそれ故その範囲にあるレッグサポート５の全体の回転運動の一部に対してのみ生じるように調整される（図８〜１０ｂ）。
【００５０】
バックル１１は、バックルベース１３と、バックルベース１３に回転可能に連結された締結レバー１４と、ならびに２本のガイドボルト１５により案内されてバックルベース１３上を長手方向にスライド可能な調整スライダ１６とを備える。バックルベース１３は側壁４に回転可能に連結され、甲要素６のベルト９はピニオン１７を介して締結レバー１４に連結されている。
【００５１】
調整手段１２は、バックル１１が連結される側壁４上に駆動カム１８を備え、駆動カム１８はレッグサポート５に回転が結合されている。この駆動カム１８は、レッグサポート５の回転移動の間にねじられるときに、調整スライダ１６と合わせて動作する。駆動カム１８の円形先端部は、少なくともある角度が与えられると、調整スライダ１６に抗して立ち上がる。駆動カム１８と調整スライダ１６は、共同で本発明の調整手段１２を形成する。
【００５２】
調整スライダ１６は２本の保持ラグ１９を有し、それによりバックル１１が調整スライダ１６の保持位置Ｈに閉じられるときに、締結レバー１４の下面に形成されたラグ２０が受け入れられ、締結レバー１４が閉鎖位置Ｖに嵌合して保持される（図７ｂ）。調整スライダ１６を解放位置Ｒにスライドさせることにより、嵌合受け入れとその結果生じる締結レバー１４の締結とが解放可能となり、バックル１１が開放可能となるとともに甲要素６がその領域で拡大およびまたは拡張可能となる（図８ｂ）。こうした調整スライダ１６の解放位置Ｒへのスライドは、レッグサポート５の回転とは独立して、駆動カム１８により自動でまたは手動で発生可能である。このため２本のレッグスプリング２１が設けられ、それにより調整スライダ１６には駆動カム１８に向けばね荷重が負荷される。
【００５３】
レッグサポート５を後方回転させるときにバックル１１の自動的な開放を容易にするため、調整スライダ１６には導出斜面２２の形状を呈する２つの嵌合導出手段が形成され、嵌合導出手段により、調整スライダ１６をスライドするときに締結レバー１４が外側に導かれ、バックル１１を閉鎖位置Ｖから開放するのに関連のある締結レバー１４の解放が外側に導かれる（図９ａ）。
【００５４】
さらに調整スライダ１６は、衝突斜面２３の形状を呈する２つの嵌合衝突手段を有し、バックル１１を締結レバー１４の一部２４内に閉じるときに合わせて動作し（図６ｂ）、調整スライダ１６は、初めにばね２１に抗して解放位置Ｒへ上方にスライドし、次いでバックル１１がさらに閉じられるにつれ保持位置Ｈへ戻り、それにより締結レバー１４を閉鎖位置Ｖに嵌合して保持する（図７ｂ）。
【００５５】
スノーボード用ビンディング１の大きさを調節すべく、回転軸７を長手方向にスライドするとき、調整手段１２は別のドリル孔８への挿入により自動的に移され、甲要素６は常にレッグサポート５に関して同一の距離に配置され、別個の設定が必要ではない。
【００５６】
図１１〜１３には、特に安定した強固の異なる本発明のバックル１１が示され、さらなるバックル１１の安定した支持を確保するだけでなく、レッグサポートから切り離した手動での解放を特に容易にする。本質的な違いは、保持ラグ１９と衝突斜面の両方およびまたは衝突曲面２３が、調整スライダ１６に一体化して形成された塊状の中央バー２５に沿って形成されていることである。締結レバー１４は、このため中間開口部２６を有し、保持ラグ１９とともに開口部２６に隣接した側壁２７の上端部を包囲するように、この開口部を貫通してバー２５が伸延可能である。開口部２６を貫通して延びるバー２５のこの領域には、とくに手が容易に届き、バックル１１を開放するため手で容易に移動できる。
【００５７】
ここで、調整スライダ１６には、中央のつるまき圧縮ばね２８により駆動カム１８に向けてばね荷重が負荷されている。さらには、ここでは甲要素６のベルト９が中間要素を介して連結されず、代わりに直接的または間接的に締結レバー１４への連結が生じている。
【００５８】
図１４〜２８に示す異なる本発明のスノーボード用ビンディングを用いると、甲要素６がさらに回転運動を受けやすく、一方または両方の回転方向において、少なくともある範囲でレッグサポート５と連動され、それに対し、バックル１１の開放は本発明による挿入位置Ｅへのレッグサポート５の後方への回転運動のみに連動する。それにより図１４〜２８に示す調整手段１０９は、好ましくは甲要素６の端部に配置され、それは甲要素６の端部の真向かいであり、その端部には各々の調整手段１２とともにバックル１１が配置される。
【００５９】
レッグサポート５は、前述したような容易な挿入を可能とするため、図１４に示す前側の滑走位置Ｆから挿入位置Ｅへ後方に回転することができる。スノーボード用ビンディング１への挿入をさらに容易にする設計とするため、甲要素６は、この場合、図１４に示す締結位置Ｓから解放位置Ｌへと上方に回転可能である。調整手段１０９は、このために設けられ、レッグサポート５の回転運動と甲要素６の回転運動とをある範囲にわたり連動させる。そのような連動は、それ故、レッグサポート５の全体の回転範囲にわたって生じるのではなく、ある範囲における回転領域の一部にのみ生じるように調整される。
【００６０】
調整手段１０９は、一方または両方の側壁４上に駆動カム１１０を備え、駆動カム１１０はレッグサポート５に回転が結合され、一方または両方の側壁４上の調整リング１１１に調整曲面１１２が形成されている。調整リング１１１の結果として、調整曲面１１２がトルクに耐える（torque-proof）態様で甲要素６に結合されている。簡素化のため、一方の側壁４上の調整手段１０９のみが、以下の説明では検討される。
【００６１】
駆動カム１１０は、調整リング１１１により包囲されている。駆動カム１１０と調整リング１１１の両方およびまたは調整曲面１１２は、共有の回転軸７に取り付けられ、およびまたはそこに集中して配置されている。スノーボード用ビンディング１の大きさを調節すべく回転軸７を長手方向に移動する場合には、それに伴い調整手段１０９も自動的に移動され、甲要素６はレッグサポート５に関して常に同一の距離に位置され、別個の調節は必要とならない。
【００６２】
駆動カム１１０は、外側のソケット１１３に突出してレッグサポート５の底部にトルクに耐える態様で結合されたサポート上に配置され、それに対し調整曲面１１２は、甲要素６の底部領域に設けられた窪みに保持され、その窪みは深い孔の形で突出した中央領域１１４に形成され、甲要素６にトルクに耐える態様で結合されている。調整曲面１１２を有する硬質ゴムの混合からなる調整リング１１１は、半径方向外側に突出している多数のアーム１１５を呈し、中央領域１１４の相補的に引っ込められた部位に嵌合して保持されている。
【００６３】
調整曲面１１２は、２つの停止部１１７ａと１１７ｂの間の約６０°の角度にわたって延びる自由移動領域１１６を備える。駆動カム１１０は、調整曲面１１２を伴って移動することなく、それ故甲要素６を移動することなく、この自由移動領域１１６の全体にわたって自由に移動可能である。移送領域１１８は、第２の停止部１１７ｂの向こう側の自由移動領域１１６に接続している。この移送領域１１８では、調整曲面１１２と中央領域の窪みに接する壁面１１９との間に、半径方向の自由領域１２０が形成されている。調整曲面１１２の移送領域１１８は、駆動カム１１０が停止部１１７ｂを乗り越えたならば、駆動カム１１０によりこの自由領域１２０へ弾性的に押し付け可能である（図２８）。この弾性変形可能な移送領域１１８は、それ故、スノーボードを保管するため、または輸送するときにレッグサポート５が前方に全範囲にわたり倒回されて、ビンディング１の底板２の上方あるいはスノーボードの表面上の移送位置Ｔまで（図２７）倒回されるときに、調整曲面１１２が破壊されることを防止する役割を果たす。それにより駆動カム１１０は、一旦停止部１７ｂに到達すると、実際に増大された抵抗力に打ち勝たねばならないが、わずかな働きで移送領域１１８にわたってさらに移動可能である。
【００６４】
この異なる本発明に係るスノーボード用ビンディングの作用は、以下に記載される。
【００６５】
図１５，２１に示すように、スノーボード用ビンディング１の閉鎖位置の状態で、レッグサポート５は滑走位置Ｆに位置され、甲要素６は締結位置Ｓに位置される。この位置では、レッグサポート５は、ここでは図示しないロック手段により固定される。ロック手段は好ましくはケーブルプルを備え、ロック手段が解除され後、図１８，２４に示すようにレッグサポート５は滑走位置Ｆから挿入位置Ｅに向け後方に倒回される。それによりレッグサポート５に回転が結合された駆動カム１１０は、初めに自由移動領域１１６にわたって自由に移動し、甲要素６はいまだ締結位置Ｓのままである（図１６，２２）。
【００６６】
開放移動を完了する前にある距離でのみ、駆動カム１１０は停止部１１７ａに接触するようになり（図１７，２３）、レッグサポート５は、ビンディング１の開放を続行するためにさらに回転されるので、調整曲面１１２は、今度は駆動カム１１０に伴って移動され、それにより甲要素６も上方に回転する。そのため、甲要素６は上部の解放位置Ｌに回転され、特に大量のスペースが、スノーボード用ビンディング１への挿入およびまたはスノーボード用ビンディング１からの解放のために利用可能となる。その結果、挿入と解放の両方が、非常に簡便となるように設計される。既に述べたように、前述の甲要素６のバックル１１の自動解放もそれにより発生可能である。
【００６７】
ビンディング１を閉じるときには、レッグサポート５は後方の挿入位置Ｅ（図１８，２４）から滑走位置（図１５，２１）に立ち上げられ、そこでの所定位置で再びロックされる。それにより駆動カム１１０は、第２の停止部１１７ｂ（図２０，２６）に接触し、その点から調整曲面１１２を伴って移動するようになるまで、初めに開放段階と類似の態様で自由移動領域１１６（図１９，２５）にわたり自由に移動する。その後、レッグサポート５が最終の滑走位置Ｆに最大に立ち上げられるにつれ、回転能力に関してビンディングを閉じた状態の指定の締結位置Ｓ（図１５，２１）に到達するまで甲要素６は再び前方に回転させられる。この締結位置Ｓでは、甲要素６は、レッグサポート５がロックされた状態で、調整曲面１１２と駆動カム１１０と嵌合が保たれ、少なくとも１つのバックル１１が閉じられた後、スノーボード用ビンディング１に収容されたスノーボードブーツに抗して押される。
【００６８】
図２９〜３１に示す本発明のスノーボード用ビンディング１の実施の形態は、甲要素６に加えて、さらにビンディング１の前方領域につま先要素２９を有し、つま先要素２９は好ましくは側壁４上のブレース３０を横切って回転可能である。このつま先要素２９はアッパーストラップ３１とフロントストラップ３２とを有し、このつま先要素２９により、ビンディング１に収容されるブーツ３３の前部領域が前方と上方の両方から包囲可能となる（図２９）。このようにしてブーツ３３は、つま先要素２９により、およびまたはフロントストラップ３２により、前方を向いて所定位置に保持される。
【００６９】
レッグサポート５が前方の滑走位置Ｆにロックされたならば、スノーボード用ビンディング１に収容されたブーツ３３は、スノーボード用ビンディング１に関して長手方向３４にはレッグサポート５とつま先要素２９とにより所定位置に固定され、さらに同時にレッグサポート５とつま先要素２９との間で締結される。それによりレッグサポート５の前部滑走位置Ｆへの前方への回転は、長手方向３４でのブーツ３３の位置決めと締め付けとに影響を及ぼす。甲要素６は、ブーツ３３を所定位置に固定するような作用をしない。長手方向３４の所定位置にブーム３３を固定およびまたは締め付けるのは、甲要素６が開放されたままの状態でもとから可能である。このため、解放位置Ｌにおけるブーツ３３と甲要素６のパッド１０との間には、図３０に示すように明らかに間隔３５がある。
【００７０】
ブーツ３３の長手方向の位置決めが行われた後にだけ、バックル１１を閉鎖することにより、甲要素６が締結位置にもたらされる。これが行われた後にのみ、スノーボード用ビンディング１のこの実施形態を用いると、ブーツ３３が最終的に所定位置に固定される（図３１）。
【００７１】
本発明は、図示の好ましい実施形態を用いてここでは単に記載されたが、そのような実施形態に限定されるものではなく、種々の異なる様式に変更することもできる。特に、甲要素６の調節運動は、バックル１１の自動の解放動作に限定されず、これは甲要素６を変更するためのあらゆる運動、さらに好ましくは簡便なビンディング１からの解放およびまたは簡便なビンディング１への挿入を特に可能とする役割を果たす運動に関わらせることができる。例えば、発明に係る甲要素６の調整された調節運動は、図１４〜２８に記載されたような回転運動に限定することもできる。
【００７２】
さらに、調整手段の調節に対応して、甲要素６を２つのハーフストラップにより構成し、２つのハーフストラップの間の真ん中に配置されたバックルにより、甲要素を解放およびまたは閉鎖することもできる。
【符号の説明】
【００７３】
１    スノーボード用ビンディング
２    底板
３    中央開口部
４    側壁
５    レッグサポート
６    甲要素
７    回転軸
８    穿孔
９    ストラップ
１０    パッド
１１    バックル
１２    調整手段
１３    バックルベース
１４    締結レバー
１５    ２本のガイドボルト
１６    調整スライダ
１７    ピニオン
１８    駆動カム
１９    保持ラグ
２０    ラグ
２１    レッグスプリング
２２    導出斜面
２３    衝突斜面
２４    締結レバーの領域
２５    中間バー
２６    中間開口部
２７    側壁
２８    つるまき圧縮ばね
２９    つま先要素
３０    ブレース
３１    アッパーストラップ
３２    フロントストラップ
３３    ブーツ
３４    長手方向
３５    間隔
１０９    調整手段
１１０    駆動カム
１１１    調整リング
１１２    調整曲面
１１３    ソケット
１１４    中央領域
１１５    アーム
１１６    自由移動領域
１１７ａ，１１７ｂ    停止部
１１８    移送領域
１１９    壁面
１２０    半径自由領域
Ｓ    甲要素の締結位置
Ｌ    甲要素の解放位置
Ｅ    レッグサポートの挿入位置
Ｆ    レッグサポートの滑走位置
Ｔ    レッグサポートの移送位置
Ｈ    調整スライダの保持位置
Ｒ    調整スライダの解放位置
Ｖ    締結レバーの閉鎖位置
Ｏ    締結レバーの開放位置
【図１】
2010507420.tif 000003
【図２】
2010507420.tif 000004
【図３】
2010507420.tif 000005
【図４】
2010507420.tif 000006
【図５】
2010507420.tif 000007
【図５ａ】
2010507420.tif 000008
【図５ｂ】
2010507420.tif 000009
【図６】
2010507420.tif 000010
【図６ａ】
2010507420.tif 000011
【図６ｂ】
2010507420.tif 000012
【図７】
2010507420.tif 000013
【図７ａ】
2010507420.tif 000014
【図７ｂ】
2010507420.tif 000015
【図８】
2010507420.tif 000016
【図８ａ】
2010507420.tif 000017
【図８ｂ】
2010507420.tif 000018
【図９】
2010507420.tif 000019
【図９ａ】
2010507420.tif 000020
【図９ｂ】
2010507420.tif 000021
【図１０】
2010507420.tif 000022
【図１０ａ】
2010507420.tif 000023
【図１０ｂ】
2010507420.tif 000024
【図１１】
2010507420.tif 000025
【図１２ａ】
2010507420.tif 000026
【図１２ｂ】
2010507420.tif 000027
【図１３】
2010507420.tif 000028
【図１４】
2010507420.tif 000029
【図１５】
2010507420.tif 000030
【図１６】
2010507420.tif 000031
【図１７】
2010507420.tif 000032
【図１８】
2010507420.tif 000033
【図１９】
2010507420.tif 000034
【図２０】
2010507420.tif 000035
【図２１】
2010507420.tif 000036
【図２２】
2010507420.tif 000037
【図２３】
2010507420.tif 000038
【図２４】
2010507420.tif 000039
【図２５】
2010507420.tif 000040
【図２６】
2010507420.tif 000041
【図２７】
2010507420.tif 000042
【図２８】
2010507420.tif 000043
【図２９】
2010507420.tif 000044
【図３０】
2010507420.tif 000045
【図３１】
2010507420.tif 000046
【国際調査報告】
2010507420.tif 000047
2010507420.tif 000048
2010507420.tif 000049
2010507420.tif 000050
2010507420.tif 000051
2010507420.tif 000052